(57)【要約】【課題】実際の使用状況を考慮して使用料金を計算するデジタル複合機を提供することを目的とする。【解決手段】デジタル複合機１は、読取部１２において処理される読取枚数をカウントする読取枚数カウンタ１４を備える。読取枚数カウンタ１４は、課金カウンタ１４１、物理カウンタ１４２を備える。課金カウンタ１４１は、所定サイズ以上の原稿サイズについては、読取原稿１枚あたりのカウントを１より増加させる。物理カウンタ１４２は、所定サイズ以上の原稿サイズについても、読取原稿１枚あたりのカウントを１とする。デジタル複合機１は、課金カウンタ１４１におけるカウントに基づいて、読取部１２の使用料金を計算できる。デジタル複合機１は、物理カウンタ１４２におけるカウントに基づいて、読取部１２の送りローラなどの消耗品が交換されるべきかどうかを判断できる。【選択図】図１
2009055150.tif 000002
【特許請求の範囲】
【請求項１】
読取原稿からデータを読み取る読取部と、
前記読取部がデータを読み取った読取原稿の読取枚数を計測する読取枚数計測部と、
を備え、
前記読取枚数計測部は、
前記読取部が所定原稿サイズ以上のサイズを有する読取原稿からデータを読み取ったときには、実際の読取枚数より多い枚数を第１読取枚数として計測する一方で、前記読取部が前記所定原稿サイズ未満のサイズを有する読取原稿からデータを読み取ったときには、実際の読取枚数に等しい枚数を第１読取枚数として計測する第１読取枚数計測部、
を含むことを特徴とする原稿読取装置。
【請求項２】
請求項１に記載の原稿読取装置において、
前記読取枚数計測部は、
前記読取部がデータを読み取った読取原稿のサイズおよび前記所定原稿サイズの大小に関わらず、実際の読取枚数に等しい枚数を第２読取枚数として計測する第２読取枚数計測部、
を含むことを特徴とする原稿読取装置。
【請求項３】
請求項１または請求項２に記載の原稿読取装置において、さらに、
印刷用紙にデータを印刷する印刷部と、
前記印刷部がデータを印刷した印刷用紙の印刷枚数を計測する印刷枚数計測部と、
を備え、
前記印刷枚数計測部は、
前記印刷部が所定用紙サイズ以上のサイズを有する印刷用紙にデータを印刷したときには、実際の印刷枚数より多い枚数を第１印刷枚数として計測する一方で、前記印刷部が前記所定用紙サイズ未満のサイズを有する印刷用紙にデータを印刷したときには、実際の印刷枚数に等しい枚数を第１印刷枚数として計測する第１印刷枚数計測部、
を含むことを特徴とする原稿読取装置。
【請求項４】
請求項３に記載の原稿読取装置において、
前記印刷枚数計測部は、
前記印刷部がデータを印刷した印刷用紙のサイズおよび前記所定用紙サイズの大小に関わらず、実際の印刷枚数に等しい枚数を第２印刷枚数として計測する第２印刷枚数計測部、
を含むことを特徴とする原稿読取装置。
【発明の詳細な説明】
【技術分野】
【０００１】
本発明は、使用料金を計算するデジタル複合機に関する。
【背景技術】
【０００２】
デジタル複合機は、コピー、ファックス、スキャンなどの様々な用途で使用される。また、デジタル複合機は、以上の様々な用途について、使用料金を計算する。ここで、デジタル複合機は、使用料金を計算するために、印刷部において処理される印刷枚数をカウントする。デジタル複合機が印刷枚数をカウントする方法として、特許文献１に開示された方法がある。
【０００３】
特許文献１に開示された方法では、デジタル複合機は、印刷部において処理される印刷用紙の長さを計測する。そして、デジタル複合機は、計測した印刷用紙の長さを所定サイズの印刷枚数に換算する。これにより、デジタル複合機は、換算した所定サイズの印刷枚数に基づいて、印刷部において送りローラなどの消耗品が交換されるべきかどうかを判断できる。
【０００４】
【特許文献１】特許第２９０４０３９号公報
【発明の開示】
【発明が解決しようとする課題】
【０００５】
特許文献１のデジタル複合機は、換算した所定サイズの印刷枚数に基づいて、送りローラなどの消耗品が交換されるべきかどうかを判断できる。また、特許文献１のデジタル複合機は、換算した所定サイズの印刷枚数に基づいて、使用料金を計算できる。
【０００６】
しかし、デジタル複合機は、集約コピーを行なうことがある。このときには、印刷部において処理される印刷用紙１枚に対して、読取部において処理される読取枚数は複数枚である。そのため、デジタル複合機は、読取部が主に使用される実情よりも、使用料金を少なく見積もる可能性がある。
【０００７】
また、デジタル複合機は、読取のみを行ない、印刷を行なわないことがある。このときには、読取部において読取原稿は処理されるが、印刷部において印刷用紙は処理されない。そのため、デジタル複合機は、読取部が主に使用される実情よりも、使用料金を少なく見積もる可能性がある。
【０００８】
そこで、本発明は前記問題点に鑑み、実際の使用状況を考慮して使用料金を計算するデジタル複合機を提供することを目的とする。
【課題を解決するための手段】
【０００９】
上記課題を解決するため、請求項１記載の発明は、原稿読取装置であって、読取原稿からデータを読み取る読取部と、前記読取部がデータを読み取った読取原稿の読取枚数を計測する読取枚数計測部と、を備え、前記読取枚数計測部は、前記読取部が所定原稿サイズ以上のサイズを有する読取原稿からデータを読み取ったときには、実際の読取枚数より多い枚数を第１読取枚数として計測する一方で、前記読取部が前記所定原稿サイズ未満のサイズを有する読取原稿からデータを読み取ったときには、実際の読取枚数に等しい枚数を第１読取枚数として計測する第１読取枚数計測部、を含むことを特徴とする。
【００１０】
請求項２記載の発明は、請求項１に記載の原稿読取装置において、前記読取枚数計測部は、前記読取部がデータを読み取った読取原稿のサイズおよび前記所定原稿サイズの大小に関わらず、実際の読取枚数に等しい枚数を第２読取枚数として計測する第２読取枚数計測部、を含むことを特徴とする。
【００１１】
請求項３記載の発明は、請求項１または請求項２に記載の原稿読取装置において、さらに、印刷用紙にデータを印刷する印刷部と、前記印刷部がデータを印刷した印刷用紙の印刷枚数を計測する印刷枚数計測部と、を備え、前記印刷枚数計測部は、前記印刷部が所定用紙サイズ以上のサイズを有する印刷用紙にデータを印刷したときには、実際の印刷枚数より多い枚数を第１印刷枚数として計測する一方で、前記印刷部が前記所定用紙サイズ未満のサイズを有する印刷用紙にデータを印刷したときには、実際の印刷枚数に等しい枚数を第１印刷枚数として計測する第１印刷枚数計測部、を含むことを特徴とする。
【００１２】
請求項４記載の発明は、請求項３に記載の原稿読取装置において、前記印刷枚数計測部は、前記印刷部がデータを印刷した印刷用紙のサイズおよび前記所定用紙サイズの大小に関わらず、実際の印刷枚数に等しい枚数を第２印刷枚数として計測する第２印刷枚数計測部、を含むことを特徴とする。
【発明の効果】
【００１３】
本発明に係る原稿読取装置は、読取枚数計測部および印刷枚数計測部を備える。読取枚数計測部は、読取部において処理される読取枚数を計測する。印刷枚数計測部は、印刷部において処理される印刷枚数を計測する。読取枚数計測部は、第１読取枚数計測部および第２読取枚数計測部を備える。印刷枚数計測部は、第１印刷枚数計測部および第２印刷枚数計測部を備える。
【００１４】
第１読取枚数計測部は、所定原稿サイズ以上の原稿サイズについては、読取原稿１枚あたりの第１読取枚数を１より増加させる。第２読取枚数計測部は、所定原稿サイズ以上の原稿サイズについても、読取原稿１枚あたりの第２読取枚数を１とする。
【００１５】
第１印刷枚数計測部は、所定用紙サイズ以上の用紙サイズについては、印刷用紙１枚あたりの第１印刷枚数を１より増加させる。第２印刷枚数計測部は、所定用紙サイズ以上の用紙サイズについても、印刷用紙１枚あたりの第２印刷枚数を１とする。
【００１６】
原稿読取装置は、第１読取枚数計測部および第１印刷枚数計測部における枚数計測に基づいて、使用料金を計算する。すなわち、原稿読取装置は、読取部および印刷部の実際の使用状況を考慮して、使用料金を計算できる。また、原稿読取装置は、原稿サイズが大きい読取原稿および用紙サイズが大きい印刷用紙については、使用料金を高額に設定できる。
【００１７】
原稿読取装置は、第２読取枚数計測部および第２印刷枚数計測部における枚数計測に基づいて、送りローラなどの消耗品が交換されるべきかどうかを判断する。すなわち、原稿読取装置は、読取部および印刷部の実際の使用状況を考慮して、送りローラなどの消耗品が交換されるべきかどうかを判断できる。また、原稿読取装置は、読取部において処理される第２読取枚数および印刷部において処理される第２印刷枚数に基づいて、送りローラなどの消耗品の交換時期をユーザに通知できる。
【発明を実施するための最良の形態】
【００１８】
｛デジタル複合機の構成要素｝
以下、図面を参照しつつ、本発明の実施の形態について説明する。図１は、デジタル複合機１の構成要素を示すブロック図である。デジタル複合機１は、コピー、ファックス、スキャンなどの様々な用途で使用される。デジタル複合機１は、設定部１１、読取部１２、印刷部１３、読取枚数カウンタ１４、印刷枚数カウンタ１５、表示部１６などから構成される。
【００１９】
設定部１１は、ユーザがコピー、ファックス、スキャンなどの設定を行なうための機能部である。ユーザは、コピー、ファックス、スキャンなどの用途に応じて、読取原稿サイズ、印刷用紙サイズ、印刷方法（片面印刷、集約印刷）などを設定する。デジタル複合機１が図示しないネットワークに接続されるときには、設定部１１は図示しないユーザ端末から設定内容について通知を受ける。
【００２０】
読取部１２は、ユーザがコピー、ファックス送信、スキャンなどを行なうときに、読取原稿からデータを読み取る機能部である。読取部１２は、設定部１１から設定内容について通知を受ける。そして、読取部１２は、読取原稿１枚分の読取を完了したときに、後述する読取枚数カウンタ１４に、読取を完了した読取原稿のサイズについて通知する。
【００２１】
印刷部１３は、ユーザがコピー、ファックス受信などを行なうときに、印刷用紙にデータを印刷する機能部である。印刷部１３は、設定部１１から設定内容について通知を受ける。そして、印刷部１３は、印刷用紙１枚分の印刷を完了したときに、後述する印刷枚数カウンタ１５に、印刷を完了した印刷用紙のサイズについて通知する。
【００２２】
読取枚数カウンタ１４は、読取部１２による読取枚数をカウントする機能部である。読取枚数カウンタ１４は、課金カウンタ１４１、物理カウンタ１４２を備えることにより、２種類の方法で読取枚数をカウントする。
【００２３】
課金カウンタ１４１は、読取部１２から通知を受けた読取原稿サイズが所定原稿サイズ未満であるときには、通常どおり１枚分のカウントを行なう。しかし、課金カウンタ１４１は、読取部１２から通知を受けた読取原稿サイズが所定原稿サイズ以上であるときには、複数枚分のカウントを行なう。
【００２４】
物理カウンタ１４２は、読取部１２から通知を受けた読取原稿サイズが所定原稿サイズ未満であるときにも、所定原稿サイズ以上であるときにも、通常どおり１枚分のカウントを行なう。
【００２５】
印刷枚数カウンタ１５は、印刷部１３による印刷枚数をカウントする機能部である。印刷枚数カウンタ１５は、課金カウンタ１５１、物理カウンタ１５２を備えることにより、２種類の方法で印刷枚数をカウントする。
【００２６】
課金カウンタ１５１は、印刷部１３から通知を受けた印刷用紙サイズが所定用紙サイズ未満であるときには、通常どおり１枚分のカウントを行なう。しかし、課金カウンタ１５１は、印刷部１３から通知を受けた印刷用紙サイズが所定用紙サイズ以上であるときには、複数枚分のカウントを行なう。
【００２７】
物理カウンタ１５２は、印刷部１３から通知を受けた印刷用紙サイズが所定用紙サイズ未満であるときにも、所定用紙サイズ以上であるときにも、通常どおり１枚分のカウントを行なう。
【００２８】
表示部１６は、ユーザが読取枚数および印刷枚数を表示させるための機能部である。表示部１６は、課金カウンタ１４１、１５１による課金カウントを表示することにより、料金集計結果を表示する。表示部１６は、物理カウンタ１４２、１５２による物理カウントを表示することにより、送りローラなどの消耗品の交換時期を表示する。
【００２９】
｛読取枚数および印刷枚数のカウント処理｝
次に、デジタル複合機１が読取枚数および印刷枚数をカウントする処理の流れについて説明する。図２は、カウント処理の流れを示すフローチャートである。読取枚数カウンタ１４および印刷枚数カウンタ１５における処理の流れは同様である。そのため、読取枚数カウンタ１４における処理の流れについて説明する。
【００３０】
読取部１２は、設定部１１から設定内容について通知を受ける。そして、読取部１２は、読取原稿１枚分の読取を完了したときに、読取を完了した読取原稿のサイズについて、読取枚数カウンタ１４に通知する（ステップＳ１）。
【００３１】
まず、物理カウンタ１４２が読取枚数をカウントする方法について説明する。物理カウンタ１４２は、読取部１２から通知を受けた読取原稿サイズに関わらず、通常どおり１枚分のカウントを行なう（ステップＳ２）。
【００３２】
次に、課金カウンタ１４１が読取枚数をカウントする方法について説明する。読取部１２から通知を受けた読取原稿サイズがＡ３サイズ以上であるときには（ステップＳ３においてＹＥＳ）、課金カウンタ１４１は、２枚分のカウントを行なう（ステップＳ４）。
【００３３】
読取部１２から通知を受けた読取原稿サイズがＡ３サイズ未満であるときには（ステップＳ３においてＮＯ）、課金カウンタ１４１は、通常どおり１枚分のカウントを行なう（ステップＳ５）。
【００３４】
読取部１２は、設定部１１から通知を受けた設定内容を実行し終わったときには（ステップＳ６においてＹＥＳ）、読取操作を終了する。また、読取部１２は、読取原稿サイズについて読取枚数カウンタ１４に通知することを終了する。
【００３５】
読取部１２は、設定部１１から通知を受けた設定内容を実行し終わっていないときには（ステップＳ６においてＮＯ）、読取操作を続行する。また、読取部１２は、読取原稿サイズについて読取枚数カウンタ１４に通知することを続行する（ステップＳ１）。
【００３６】
次に、ジョブ種類の具体例を用いて、デジタル複合機１が読取枚数および印刷枚数をカウントする方法について説明する。図３は、デジタル複合機１における使用状況を示す図である。図４は、デジタル複合機１におけるカウントを示す図である。
【００３７】
図３では、左側から順番に、ジョブ種類、各ジョブ種類についての読取原稿サイズおよび読取枚数、各ジョブ種類についての印刷用紙サイズおよび印刷枚数が記載されている。
【００３８】
１回目のコピーでは、Ａ４サイズの読取原稿３枚について、Ａ４サイズの印刷用紙３枚に、拡大縮小が行なわれることなく、片面コピーが行なわれる。
【００３９】
２回目のコピーでは、Ａ３サイズの読取原稿２枚について、Ａ３サイズの印刷用紙２枚に、拡大縮小が行なわれることなく、片面コピーが行なわれる。
【００４０】
３回目のコピーでは、Ａ５サイズの読取原稿４枚について、Ａ３サイズの印刷用紙１枚に、拡大縮小が行なわれることなく、集約コピーが行なわれる。
【００４１】
１回目のファックス送信では、Ａ４サイズの読取原稿３枚について、ファックス送信が行なわれる。２回目のファックス送信では、Ａ３サイズの読取原稿２枚について、ファックス送信が行なわれる。印刷部１３は、ファックス送信においては、印刷を行なっていない。
【００４２】
１回目のスキャンでは、Ａ４サイズの読取原稿３枚について、スキャンが行なわれる。２回目のスキャンでは、Ａ３サイズの読取原稿２枚について、スキャンが行なわれる。印刷部１３は、スキャンにおいては、印刷を行なっていない。
【００４３】
図４では、左側から順番に、ジョブ種類、各ジョブ種類についての読取枚数カウンタ１４における課金カウントおよび物理カウント、各ジョブ種類についての印刷枚数カウンタ１５における課金カウントおよび物理カウントが記載されている。
【００４４】
１回目のコピーでは、読取部１２は、Ａ４サイズの読取原稿３枚について、読取を行なっている。そのため、物理カウンタ１４２による物理カウントは３（＝１×３）である（ステップＳ２）。また、課金カウンタ１４１による課金カウントは３（＝１×３）である（ステップＳ３においてＮＯ、ステップＳ５）。
【００４５】
印刷部１３は、Ａ４サイズの印刷用紙３枚について、印刷を行なっている。そのため、物理カウンタ１５２による物理カウントは３（＝１×３）である（ステップＳ２）。また、課金カウンタ１５１による課金カウントは３（＝１×３）である（ステップＳ３においてＮＯ、ステップＳ５）。
【００４６】
２回目のコピーでは、読取部１２は、Ａ３サイズの読取原稿２枚について、読取を行なっている。そのため、物理カウンタ１４２による物理カウントは２（＝１×２）である（ステップＳ２）。しかし、課金カウンタ１４１による課金カウントは４（＝２×２）である（ステップＳ３においてＹＥＳ、ステップＳ４）。
【００４７】
印刷部１３は、Ａ３サイズの印刷用紙２枚について、印刷を行なっている。そのため、物理カウンタ１５２による物理カウントは２（＝１×２）である（ステップＳ２）。しかし、課金カウンタ１５１による課金カウントは４（＝２×２）である（ステップＳ３においてＹＥＳ、ステップＳ４）。
【００４８】
３回目のコピーでは、読取部１２は、Ａ５サイズの読取原稿４枚について、読取を行なっている。そのため、物理カウンタ１４２による物理カウントは４（＝１×４）である（ステップＳ２）。また、課金カウンタ１４１による課金カウントは４（＝１×４）である（ステップＳ３においてＮＯ、ステップＳ５）。
【００４９】
印刷部１３は、Ａ３サイズの印刷用紙１枚について、印刷を行なっている。そのため、物理カウンタ１５２による物理カウントは１（＝１×１）である（ステップＳ２）。しかし、課金カウンタ１５１による課金カウントは２（＝２×１）である（ステップＳ３においてＹＥＳ、ステップＳ４）。
【００５０】
１回目のファックス送信では、読取部１２は、Ａ４サイズの読取原稿３枚について、読取を行なっている。そのため、物理カウンタ１４２による物理カウントは３（＝１×３）である（ステップＳ２）。また、課金カウンタ１４１による課金カウントは３（＝１×３）である（ステップＳ３においてＮＯ、ステップＳ５）。
【００５１】
２回目のファックス送信では、読取部１２は、Ａ３サイズの読取原稿２枚について、読取を行なっている。そのため、物理カウンタ１４２による物理カウントは２（＝１×２）である（ステップＳ２）。しかし、課金カウンタ１４１による課金カウントは４（＝２×２）である（ステップＳ３においてＹＥＳ、ステップＳ４）。
【００５２】
１回目のスキャンでは、読取部１２は、Ａ４サイズの読取原稿３枚について、読取を行なっている。そのため、物理カウンタ１４２による物理カウントは３（＝１×３）である（ステップＳ２）。また、課金カウンタ１４１による課金カウントは３（＝１×３）である（ステップＳ３においてＮＯ、ステップＳ５）。
【００５３】
２回目のスキャンでは、読取部１２は、Ａ３サイズの読取原稿２枚について、読取を行なっている。そのため、物理カウンタ１４２による物理カウントは２（＝１×２）である（ステップＳ２）。しかし、課金カウンタ１４１による課金カウントは４（＝２×２）である（ステップＳ３においてＹＥＳ、ステップＳ４）。
【００５４】
以上で説明した全ジョブ種類について、各物理カウンタ１４２、１５２は、それぞれ、各物理カウントを累計する。各課金カウンタ１４１、１５１は、それぞれ、各課金カウントを累計する。物理カウンタ１４２による物理カウントの累計は１９である。物理カウンタ１５２による物理カウントの累計は６である。課金カウンタ１４１による課金カウントの累計は２５である。課金カウンタ１５１による課金カウントの累計は９である。
【００５５】
｛料金集計結果および消耗品交換時期の表示画面｝
次に、デジタル複合機１が料金集計結果および送りローラなどの消耗品の交換時期を表示する方法について説明する。図５は、料金集計結果を表示する画面を示す図である。図６は、送りローラ交換時期を表示する画面を示す図である。デジタル複合機１は、料金集計結果および送りローラなどの消耗品の交換時期を表示するリストを、印刷部１３において印刷してもよい。
【００５６】
まず、料金集計結果を表示する画面について説明する。ユーザは、料金集計結果を表示部１６に表示させるように、デジタル複合機１を操作する。図５で示した料金集計結果を表示する表示画面１６１は、読取料金を表示する表示エリア１６２、印刷料金を表示する表示エリア１６３、読取料金および印刷料金の合計料金を表示する表示エリア１６４などから構成される。
【００５７】
表示エリア１６２に表示された読取枚数は、課金カウンタ１４１による課金カウントの累計である２５となる。すなわち、デジタル複合機１は、読取原稿サイズの大小を考慮して、読取料金を集計する。課金係数は、読取枚数１枚について、読取料金を定める係数である。表示エリア１６２に表示された課金係数は、読取枚数１枚について２円である。そのため、表示エリア１６２に表示された読取料金は、５０円（＝２５枚×２円／１枚）である。
【００５８】
表示エリア１６３に表示された印刷枚数は、課金カウンタ１５１による課金カウントの累計である９となる。すなわち、デジタル複合機１は、印刷用紙サイズの大小を考慮して、印刷料金を集計する。課金係数は、印刷枚数１枚について、印刷料金を定める係数である。表示エリア１６３に表示された課金係数は、印刷枚数１枚について５円である。そのため、表示エリア１６３に表示された印刷料金は、４５円（＝９枚×５円／１枚）である。
【００５９】
表示エリア１６２に表示された読取料金、および、表示エリア１６３に表示された印刷料金に基づいて、表示エリア１６４に表示された合計料金は、９５円（＝５０円＋４５円）と集計される。ユーザは、表示エリア１６４に表示された合計料金に基づいて、デジタル複合機１の管理者に使用料金を支払えばよい。
【００６０】
次に、送りローラ交換時期を表示する画面について説明する。ユーザまたは管理者は、送りローラ交換時期を表示部１６に表示させるように、デジタル複合機１を操作する。図６で示した送りローラ交換時期を表示する表示画面１６５は、読取部１２について送りローラ交換時期を表示する表示エリア１６６、印刷部１３について送りローラ交換時期を表示する表示エリア１６７などから構成される。
【００６１】
表示エリア１６６に表示された読取枚数は、物理カウンタ１４２による物理カウントの累計である１９となる。すなわち、デジタル複合機１は、読取原稿サイズの大小を考慮することなく、読取部１２の送りローラが交換されるべきかどうかを判断する。交換目安枚数は、読取部１２の送りローラが何枚の読取原稿を配送したときに、読取部１２の送りローラが交換されるべきかを示す目安である。
【００６２】
表示エリア１６６に表示された交換目安枚数は２００枚である。そのため、表示エリア１６６には、「交換は必要ありません」というメッセージが表示される。表示エリア１６６に表示される読取枚数が２００枚に近づくときに、表示エリア１６６には「まもなく交換時期です」という警告が表示される。ユーザまたは管理者は、表示エリア１６６に表示される警告に基づいて、読取部１２の送りローラを交換すればよい。
【００６３】
表示エリア１６７に表示された印刷枚数は、物理カウンタ１５２による物理カウントの累計である６となる。すなわち、デジタル複合機１は、印刷用紙サイズの大小を考慮することなく、印刷部１３の送りローラが交換されるべきかどうかを判断する。交換目安枚数は、印刷部１３の送りローラが何枚の印刷用紙を配送したときに、印刷部１３の送りローラが交換されるべきかを示す目安である。
【００６４】
表示エリア１６７に表示された交換目安枚数は２００枚である。そのため、表示エリア１６７には、「交換は必要ありません」というメッセージが表示される。表示エリア１６７に表示される印刷枚数が２００枚に近づくときに、表示エリア１６７には「まもなく交換時期です」という警告が表示される。ユーザまたは管理者は、表示エリア１６７に表示される警告に基づいて、印刷部１３の送りローラを交換すればよい。
【００６５】
最後に、本発明の効果についてまとめる。デジタル複合機１は、読取枚数カウンタ１４が備える課金カウンタ１４１による課金カウントと、印刷枚数カウンタ１５が備える課金カウンタ１５１による課金カウントと、に基づいて、使用料金を計算する。そのため、デジタル複合機１は、読取枚数は多いが印刷枚数は少ないときであっても、または、読取枚数は少ないが印刷枚数は多いときであっても、使用状況に即して使用料金を計算できる。
【００６６】
デジタル複合機１は、読取原稿サイズが所定原稿サイズ以上であるときには、読取原稿サイズが所定原稿サイズ未満であるときより、課金カウンタ１４１による課金カウントを増加させる。また、デジタル複合機１は、印刷用紙サイズが所定用紙サイズ以上であるときには、印刷用紙サイズが所定用紙サイズ未満であるときより、課金カウンタ１５１による課金カウントを増加させる。そのため、デジタル複合機１は、読取原稿サイズおよび印刷用紙サイズを考慮したうえで、使用状況に即して使用料金を計算できる。
【００６７】
デジタル複合機１は、読取枚数カウンタ１４が備える物理カウンタ１４２による物理カウントに基づいて、読取部１２の送りローラなどの消耗品が交換されるべきかどうかを判断する。また、デジタル複合機１は、印刷枚数カウンタ１５が備える物理カウンタ１５２による物理カウントに基づいて、印刷部１３の送りローラなどの消耗品が交換されるべきかどうかを判断する。そのため、デジタル複合機１は、読取部１２および印刷部１３の送りローラなどの消耗品の交換時期を、それぞれ独立に判断できる。
【００６８】
｛変形例１｝
上述した実施例においては、デジタル複合機１は、読取枚数カウンタ１４および印刷枚数カウンタ１５を備えている。しかし、読取原稿からデータを読み取るスキャナなどは、読取枚数カウンタ１４を備えればよい。変形例に係るスキャナは、図１を用いて説明した設定部１１、読取部１２、読取枚数カウンタ１４、表示部１６などから構成される。
【００６９】
変形例に係るスキャナは、図２から図４までを用いて説明した読取枚数をカウントする処理を行なう。ただし、図３において、印刷用紙サイズおよび印刷枚数は考慮しなくてよい。また、図４において、印刷枚数カウントは考慮しなくてよい。
【００７０】
変形例に係るスキャナは、図５を用いて説明した料金集計結果を表示する処理、および、図６を用いて説明した送りローラなどの消耗品の交換時期を表示する処理を行なう。ただし、図５において、表示エリア１６３、１６４は考慮しなくてよい。また、図６において、表示エリア１６７は考慮しなくてよい。
【００７１】
｛変形例２｝
上述した実施例においては、課金カウンタ１４１が２枚分のカウントを行なうか、通常どおり１枚分のカウントを行なうか、を決定する読取原稿サイズのしきい値として、Ａ３サイズが設定されている。しかし、読取原稿サイズのしきい値として、Ａ３サイズ以外の読取原稿サイズが設定されてもよい。印刷用紙サイズのしきい値の設定についても、読取原稿サイズのしきい値の設定と同様に行なえばよい。
【００７２】
また、読取原稿サイズのしきい値として、複数の読取原稿サイズのしきい値が設定されてもよい。たとえば、読取原稿サイズがＡ３サイズ以上であるときには３枚分のカウントが、読取原稿サイズがＡ５サイズ以上Ａ３サイズ未満であるときには２枚分のカウントが、読取原稿サイズがＡ５サイズ未満であるときには１枚分のカウントが行なわれてもよい。印刷用紙サイズのしきい値の設定についても、読取原稿サイズのしきい値の設定と同様に行なえばよい。
【図面の簡単な説明】
【００７３】
【図１】デジタル複合機の構成要素を示すブロック図である。
【図２】カウント処理の流れを示すフローチャートである。
【図３】デジタル複合機における使用状況を示す図である。
【図４】デジタル複合機におけるカウントを示す図である。
【図５】料金集計結果を表示する画面を示す図である。
【図６】送りローラ交換時期を表示する画面を示す図である。
【符号の説明】
【００７４】
１  デジタル複合機
１１  設定部
１２  読取部
１３  印刷部
１４  読取枚数カウンタ
１５  印刷枚数カウンタ
１６  表示部
１４１、１５１  課金カウンタ
１４２、１５２  物理カウンタ
【図１】
2009055150.tif 000003
【図２】
2009055150.tif 000004
【図３】
2009055150.tif 000005
【図４】
2009055150.tif 000006
【図５】
2009055150.tif 000007
【図６】
2009055150.tif 000008